(57)【要約】【課題】ロングブラジャーのバック布の上縁部の位置を調整できる機能を付加することで、背中の繰りの広いドレスを着用した場合でも、それに合わせてバック布の上端縁部を下方に引き下げることができ、ドレスからはみ出ることなくインナーとして着用可能とする。【解決手段】腰部まで達するフロント布１０と、腰部まで達するバック布１１と、フロント布１０の上端部に設けられた左右のカップ部１２ａ，１２ｂとからなり、バック布１１の上端部１１ａの中央位置に係止部２１を設け、バック布１１の中央中程部（バック布１１の長さ方向のほぼ中央部）にこの係止部２１を係止する被係止部２２を設けている。【選択図】図１
2007231456.tif 000002
【特許請求の範囲】
【請求項１】
腰部まで達するフロント布と、腰部まで達するバック布と、前記フロント布の上端部に設けられた左右のカップ部とからなる女性用被服であって、
前記バック布の中央上端部に係止部が設けられるとともに、前記バック布の中央中程部に前記係止部を係止する被係止部が設けられたことを特徴とする女性用被服。
【請求項２】
前記フロント布と前記バック布の左右の縫着部分に縦方向に沿ってボーンが設けられていることを特徴とする請求項１に記載の女性用被服。
【請求項３】
前記係止部を前記被係止部に係止することで、前記バック布の上端部を前記被係止部側に引き寄せることを特徴とする請求項２に記載の女性用被服。
【発明の詳細な説明】
【技術分野】
【０００１】
本発明は、腰部まで達するフロント布と、腰部まで達するバック布と、前記フロント布の上端部に設けられた左右のカップ部とからなる、いわゆるロングブラジャーやボディースーツ等の女性用被服に関する。
【背景技術】
【０００２】
従来から、腰部まで達するフロント布と、腰部まで達するバック布と、前記フロント布部の上端部に設けられた左右のカップ部とからなるいわゆるロングブラジャーやボディースーツ等が提案されている。
【０００３】
ロングブラジャーとしては、例えば特許文献１に記載のものがある。
【０００４】
このロングブラジャーは、図４に示すように、ウェストニッパーの機能も兼備させたロングブラジャーであり、フロント布１１０及びバック布１０５が共に長くウェスト下部まで延在している。また、左右の乳房カップ１００の下半部の湾曲縁周縁１０４には、ほぼ円弧状のカップワイヤー１０３を具備している。この態様のロングブラジャーは、乳房の下側からウェスト部までの形を整えウェストを細く見せるようにするため、ほぼ直線状の金属やプラスチックスの細幅の帯状物からなるボーン１０９をさらに具備している。また、この図では肩紐１０６を備えているが、アウターとして肩紐の無いドレスを着用する場合には、この肩紐１０６を除去した状態のロングブラジャーも提供されている。
【特許文献１】特開２００２−１６１４０４号公報（［０００４］，図１１参照）
【発明の開示】
【発明が解決しようとする課題】
【０００５】
上記したように、肩紐の無いロングブラジャーは、肩紐の無いドレスなどを着用するときにインナーとして着用されるが、ドレスによっては背中の繰りの広いものもあり、このような場合には、ロングブラジャーのバック布１０５の上縁部分がドレスからはみ出してしまうといった問題があった。
【０００６】
本発明はかかる問題点を解決すべく創案されたもので、その目的は、ロングブラジャーのバック布の上縁部の位置を調整できる機能を付加することでこの問題を解決した女性用被服を提供することにある。
【課題を解決するための手段】
【０００７】
上記課題を解決するため、本発明の女性用被服は、腰部まで達するフロント布と、腰部まで達するバック布と、前記フロント布の上端部に設けられた左右のカップ部とからなる女性用被服であって、前記バック布の中央上端部に係止部が設けられるとともに、前記バック布の中央中程部に前記係止部を係止する被係止部が設けられたことを特徴とする。この場合、前記フロント布と前記バック布の左右の縫着部分に縦方向に沿ってボーンが設けられている。これにより、前記係止部を前記被係止部に係止することで、前記バック布の上端部を前記被係止部側に引き寄せることが可能となる。つまり、ボーンがあることで、バック布全体はボディーの定位置で固定されるため、バック布の中央上端部に設けられた係止部を、バック布の中央中程部に設けられた被係止部に係止することで、係止部側が被係止部側に引き寄せられ、その結果、バック布の上端縁部が下方に引き下げられることになる。
【発明の効果】
【０００８】
本発明の女性用被服は上記のように構成したので、背中の繰りの広いドレスを着用した場合でも、それに合わせてバック布の上端縁部を下方に引き下げることができるため、ドレスからはみ出ることなく本発明の女性用被服をインナーとして着用することができる。
【発明を実施するための最良の形態】
【０００９】
以下、本発明の実施の形態について、図面を参照して説明する。
【００１０】
図１は、本実施形態のロングブラジャー１を示しており、（ａ）は正面図、（ｂ）は背面図である。
【００１１】
このロングブラジャー１は、腰部まで達するフロント布１０と、腰部まで達するバック布１１と、フロント布１０の上端部に設けられた左右のカップ部１２ａ，１２ｂとからなり、バック布１１の上端部１１ａの中央位置に係止部２１が設けられ、バック布１１の中央中程部（バック布１１の長さ方向のほぼ中央部）１１ｂにこの係止部２１を係止する被係止部２２が設けられている。また、フロント布１０とバック布１１との左右の縫着部分に縦方向に沿ってボーン１４がそれぞれ設けられており、フロント布１０とバック布１１とは、身体にフィットするように筒形状に形成されている。
【００１２】
本実施形態のロングブラジャー１は、図２に示すように、ボーン１４があることによって、着用したときに身体にフィットし、上下にずれないようになっている。
【００１３】
ここで、係止部２１は、バック布１１の上端部１１ａの中央位置（背中のほぼ真ん中）に横向きに取り付けられた鉤フックの形状をしている。また、被係止部２２は、一定間隔で縦方向に複数個の横穴２２ａ，２２ａ，・・・を有するフックアイ形状となっている。被係止部２２は、テープ状の布辺を縦にしてバック布１１に対面させ、その上端部と下端部とを横方向に縫着し、かつ、その間を一定間隔で横方向に平行に縫着することで、複数個の横穴２２ａ，２２ａ，・・・を形成することができる。
【００１４】
図３は、係止部２１を被係止部２２の一つの横穴２２ａに係止した状態を示している。このように係止することで、バック布１１の上端部１１ａを被係止部２２側に引き寄せることが可能となる。つまり、ボーン１４があることで、バック布１１自体は身体の定位置（図２及び図３に示す位置）で上下にずれることなく固定されるため、係止部２１を被係止部２２に係止することで、バック布１１の上部側のみが被係止部２２側に引き寄せられ、その結果、バック布１１の上端部１１ａが下方に引き下げられることになる。
【００１５】
本発明によれば、背中の繰りの広いドレスを着用した場合でも、それに合わせてバック布１１の上端部１１ａを下方に引き下げることができるため、ドレスからはみ出ることなく着用することができる。
【図面の簡単な説明】
【００１６】
【図１】本発明の一実施の形態に係るロングブラジャーを示しており、（ａ）は正面図、（ｂ）は背面図である。
【図２】ロングブラジャーの係止部を被係止部に係止しない状態で着用した状態を示す背面図である。
【図３】ロングブラジャーの係止部を被係止部に係止した状態で着用した状態を示す背面図である。
【図４】従来のロングブラジャーの構成例を示す斜視図である。
【符号の説明】
【００１７】
１  ロングブラジャー
１０  フロント布
１１  バック布
１１ａ  上端部
１１ｂ  中央中程部
１２ａ，１２ｂ  カップ部
１４  ボーン
２１  係止部
２２  被係止部
【図１】
2007231456.tif 000003
【図２】
2007231456.tif 000004
【図３】
2007231456.tif 000005
【図４】
2007231456.tif 000006